(57)【特許請求の範囲】
【請求項１】
表示画面及び前記表示画面のコントローラを有する表示部と、
前記表示部を制御すると共に前記表示画面での表示内容の運行を管理する運行管理部と、
前記運行管理部に接続された電話回線接続インタフェースとを備え、
利用者が情報端末から前記電話回線接続インタフェースを介して前記運行管理部へアクセスすると、前記運行管理部は前記電話回線接続インタフェースを介して前記情報端末へ所定の情報を返信し、
前記所定の情報は前記表示内容のリストを含み、
前記利用者が前記リストから所定の表示内容へのリクエストを前記情報端末から前記電話回線接続インタフェースを介して前記運行管理部へ送信すると、前記運行管理部は前記リクエストに応じて前記表示内容の表示順序を変更し、
前記運行管理部は、複数の利用者から前記リクエストを受信して集計し、集計結果の多い前記所定の表示内容を優先して表示する、
表示装置。
【請求項２】
請求項１に記載の表示装置であって、
利用者が情報端末から前記電話回線接続インタフェースを介して前記運行管理部へ自作の表示内容を送信すると、前記運行管理部は前記表示部を制御して前記所定の表示内容を前記表示画面上に表示する、
表示装置。
【請求項３】
請求項１または２に記載の表示装置であって、
前記運行管理部は、アクセスした前記利用者が登録者であるか否かを判定し、登録者に対する処理を優先的に行う、
表示装置。
【請求項４】
請求項３に記載の表示装置であって、
前記運行管理部は前記登録者に対して前記表示装置の利用状況に応じた料金を課する、表示装置。
【請求項５】
請求項１乃至４のいずれかに記載の表示装置であって、
前記表示部は前記所定の表示内容を前記表示画面の一部に表示する、
表示装置。
【請求項６】
請求項１乃至５のいずれかに記載の表示装置であって、
前記運行管理部は予め決められた時間帯に前記所定の表示内容を表示する、
表示装置。
【請求項７】
請求項１乃至６のいずれかに記載の表示装置であって、
前記表示画面は公衆向けに設置されている、
表示装置。
【発明の詳細な説明】
【０００１】
【発明の属する技術分野】
本発明は例えばビルの壁面等に設置される表示装置に関するものであり、当該表示装置に関心を持つ人を増やし、表示装置の利用効果（例えば広告効果）を高めるための技術に関する。
【０００２】
【従来の技術】
近年、ビルの壁面や広場や公共施設等の人々が集まる場所や人通りの多い場所には大型の表示装置が設置され、多くの人々に情報を提供している。一般に、このような表示装置では予め定められた１日の番組を自動的に表示している（放映している）。
【０００３】
図６に従来の表示装置１Ｐを説明するための模式図を示す。従来の表示装置１Ｐは、表示画面１１Ｐ及び表示コントローラ１２Ｐを有する表示部１０Ｐと、システムコントローラ２１Ｐと、ビデオシステム２８Ｐと、コンピュータシステム２９Ｐとを備えている。
【０００４】
オペレータはシステムコントローラ２１Ｐを用いて表示する番組の番組運行表（以下「番組表」とも呼ぶ）を作成する。そして、システムコントローラ２９Ｐは番組表を管理し、番組表に従ってビデオシステム２８Ｐ及びコンピュータシステム２９Ｐを制御する。ビデオシステム２８Ｐは、一般のＴＶ放送を受信したり、ＶＴＲ等の録画画像を再生したりして、その映像に関する信号を表示コントローラ１２Ｐへ出力する。他方、コンピュータシステム２９Ｐは文字やグラフィック画像に関する信号を表示コントローラ１２Ｐへ出力する。また、コンピュータシステム２９Ｐはシステムコントローラ２１Ｐを介して通信ネットワーク１５０Ｐを通じて表示内容を取得し、その表示内容を表示コントローラ１２Ｐを介して表示部１１Ｐで表示する。
【０００５】
各番組は識別情報によって識別され、この識別情報に対応する画像情報をＶＴＲ等から読み出して表示する。番組の内容や順番はオペレータがシステムコントローラ２１Ｐで必要に応じて変更することができる。変更後は、新たな番組表に基づいて画像が表示される。
【０００６】
従来の表示装置１Ｐでは、表示画面１１Ｐの一部のサブ画面に、いわゆる流し文字で以て文字情報を表示する場合もある。この場合、メイン画面の画像とは別個に流し文字専用の画像を所定の時刻に表示するように番組表を作成する。これにより、例えば、メイン画面にコマーシャル等を表示するのと並行してサブ画面にニュース等の文字情報を表示する。
【０００７】
【発明が解決しようとする課題】
従来の表示装置１Ｐは、通行人等の不特定多数の視聴者に対して一方的に画像や情報を提供するのみである。このため、表示内容は必ずしも視聴者のニーズにマッチしているとは言えず、多くの場合、通行人はその表示内容を見ずに表示装置１Ｐの前を素通りしてしまう。つまり、人通りの多い場所に大がかりで高価な表示装置１Ｐを設置しても、その利用効果は低調である場合が多い。
【０００８】
本発明はかかる点に鑑みてなされたものであり、表示装置に関心を持つ人を増やし、利用効果（例えば広告効果）を高められる表示装置を提供することを目的とする。
【０００９】
【課題を解決するための手段】
この発明に係る表示装置は、表示画面及び前記表示画面のコントローラを有する表示部と、前記表示部を制御すると共に前記表示画面での表示内容の運行を管理する運行管理部と、前記運行管理部に接続された電話回線接続インタフェースとを備え、利用者が情報端末から前記電話回線接続インタフェースを介して前記運行管理部へアクセスすると、前記運行管理部は前記電話回線接続インタフェースを介して前記情報端末へ所定の情報を返信する。さらに、前記所定の情報は前記表示内容のリストを含み、前記利用者が前記リストから所定の表示内容へのリクエストを前記情報端末から前記電話回線接続インタフェースを介して前記運行管理部へ送信すると、前記運行管理部は前記リクエストに応じて前記表示内容の表示順序を変更する。さらに、前記運行管理部は、複数の利用者から前記リクエストを受信して集計し、集計結果の多い前記所定の表示内容を優先して表示する。
【００１９】
【発明の実施の形態】
＜実施の形態１＞
図１に実施の形態１に係る表示装置１を説明するための模式図を示す。表示装置１は、表示部１０と、運行管理部２０と、携帯電話（ないしは電話回線接続インタフェース）３０とを備えている。
【００２０】
表示部１０は表示画面１１と、当該表示画面１１を制御（ないしは駆動）するための表示コントローラ１２とを有している。表示画面１１として、例えば、プラズマディスプレイパネル（ＰＤＰ）や、陰極線管（ＣＲＴ）や、発光ダイオード（ＬＥＤ）ディスプレイ等の各種のディスプレイが適用可能である。ここでは、表示画面１１が公衆向けに設置される大型の表示画面である場合、例えばビルの壁面や広場や公共施設等の人々が集まる場所や人通りの多い場所に設置される大型の表示画面である場合を説明する。表示コントローラ１２は走査変換部１３と、標本化処理部１４と、通信制御部１４と、グラフィック処理部１６と、文字情報処理部１７とを有している。
【００２１】
運行管理部２０は、システムコントローラ２１と、ビデオシステム２８と、コンピュータシステム２９とを備えている。なお、システムコントローラ２１は（従って運行管理部２０は）、インターネットや専用回線等のコンピュータで利用可能な通信ネットワーク１５０に接続されている。
【００２２】
システムコントローラ２１は、コンピュータ本体２２と、キーボードやマウス等の入力部２３と、モニタ等の出力部２４とを含んでいる。オペレータはシステムコントローラ２１を用いて、表示画面１１において表示する（放映する）番組（ないしは表示内容）の番組運行表ないしは番組編成表（以下「番組表」とも呼ぶ）を作成及び変更する（プログラムする）。そして、システムコントローラ２１は番組表に従ってビデオシステム２８及びコンピュータシステム２９を制御し、これにより運行管理部２０が表示部１０での表示を制御する。このとき、システムコントローラ２１は（即ち運行管理部２０は）番組表に従って表示画面１１で表示する番組（ないしは表示内容）を自動的に運行し（放映し）、又、その運行を管理する。なお、システムコントローラ２１の各種の動作は後に詳述する。
【００２３】
各番組は、ビデオ映像の場合もあるし、文字情報やグラフィック画像による静止画の場合もあり、これらはビデオシステム２８又はコンピュータシステム２９から供給される。ビデオシステム２８は、一般のテレビ放送（地上放送及び衛星放送を含む）やＴＶカメラによるライブ映像の受信装置や、ＶＴＲ，ビデオディスク（ＤＶＤを含む）等の記録媒体の再生装置を含んで成り、これらの映像を含む各番組の作成や編集等を行う。そして、これらからの映像に関する信号を表示コントローラ１２へ出力する。他方、コンピュータシステム２９は文字情報やグラフィック画像を含む各番組の作成や編集等を行い、これらに関する信号を表示コントローラ１２へ出力する。また、コンピュータシステム２９は、システムコントローラ２１を介して通信ネットワーク１５０を通じて表示する内容を取得し、その表示内容に関する信号を表示コントローラ１２へ出力する。なお、コンピュータシステム２９はハードディスク装置（図示せず）等の記憶装置や記録媒体読み取り装置を備えており、このハードディスク装置等に上述の文字情報やグラフィック画像やシステムコントローラ２１を介して通信ネットワーク１５０を通じて取得した内容を格納する。
【００２４】
表示コントローラ１２の走査変換部１３及び標本化処理部１４はビデオシステム２８からの信号を受信して、当該信号を走査変換及び標本化処理により表示画面１１上での表示サイズに応じた情報量に変換する。そして、かかる信号で以て表示画面１１での表示を制御する。他方、表示コントローラ１２の通信制御部１５はコンピュータシステム２９からの信号を受信して、グラフィック画像をグラフィック処理部１６へ、又、文字情報を文字情報処理部１７へ伝達する。グラフィック処理部１６及び文字情報処理部１７は上記信号を表示画面１１上での表示サイズに応じた情報量に変換して、かかる信号で以て表示画面１１での表示を制御する。
【００２５】
ここで、図２に表示装置１で用いる番組表の一例を説明するための模式図を示す。図２に示す一例によれば、時刻ｔ１〜時刻ｔ２の間、番組Ｐ１として番組名「ニュース番組」に関する画像（ないしは表示内容）Ｇ１を放映し、時刻ｔ２〜時刻ｔ３の間、番組Ｐ２として番組名「人気映画の案内」に関する画像Ｇ２を放映し、時刻ｔ３〜時刻ｔ４の間、番組Ｐ３として番組名「天気予報」に関する画像Ｇ３を放映し、時刻ｔ４〜時刻ｔ５の間、番組Ｐ４として番組名「コマーシャル」に関する画像Ｇ４を放映し、時刻ｔｎから番組Ｐｎとして画像Ｇｎを放映するように、番組表がプログラムされている。各番組Ｐ１〜Ｐｎはそれの識別情報Ｒ１〜Ｒｎによって識別され、この識別情報に対応する画像Ｇ１〜Ｇｎをビデオシステム２８又はコンピュータシステム２９がＶＴＲ等から読み出し、表示画面１１で表示する。番組の内容や順番はオペレータがシステムコントローラ２１で必要に応じて変更することができ、変更後は新たな番組表に基づいて画像が表示される。
【００２６】
特に、表示装置１では、システムコントローラ２１に（従って運行管理部２０に）携帯電話３０が通信可能に接続されている。このため、表示装置１の携帯電話３０及び視聴者（ないしは利用者）が有する情報端末としての携帯電話１３０によって、視聴者は表示装置１と対話型通信が可能である。
【００２７】
詳細には、所有の携帯電話１３０から視聴者が表示装置１の携帯電話３０に電話をかけると、視聴者の携帯電話１３０は表示装置１０の携帯電話３０を介して運行管理部２０に（より具体的にはシステムコントローラ２１に）接続されてアクセス可能になる。そして、システムコントローラ２１は携帯電話３０を介して、視聴者の携帯電話１３０へ各種の情報を例えばメニュー形式で返信する。
【００２８】
例えば、返信するメニューは表示装置１で放映する各番組Ｐ１〜Ｐｎのリスト（番組名や放映時間等。後述の図３中の（ａ）を参照）を含んでおり、これにより視聴者は放映番組Ｐ１〜Ｐｎを確認することができる。また、メニューは例えば表示装置１の利用を促進するための情報（表示装置１の管理者や連絡先や広告料金等）を含んでいる。
【００２９】
このように、表示装置１によれば、表示装置に関心を持つ人が増え、表示装置１の利用効果（例えば広告効果）を高めることができる。
【００３０】
更に、表示装置１では、オペレータのみならず、視聴者が番組の内容や順番を選択・変更することが可能である。かかる操作を図３を参照しつつ説明する。図３は表示装置１における視聴者の要望に応じた番組編成の変更を説明するための模式図である。
【００３１】
まず、上述のように、視聴者が表示装置１の携帯電話３０へ電話すると、システムコントローラ２１は図３中の（ａ）に示すような番組Ｐ１〜Ｐｎに関する番組リストを視聴者の携帯電話１３０へ返信する。このとき、システムコントローラ２１は各番組Ｐ１〜Ｐｎのうちのいずれの番組を見たいか、視聴者からのリクエストを受け付ける。視聴者は携帯電話１３０から所望の番組のリクエストを表示装置１の携帯電話３０へ送信する。システムコントローラ２１は（換言すれば運行管理部２０は）視聴者からリクエストを受けると、当該リクエストを反映させて番組表を再構成する。例えば、現在、時刻ｔ２〜時刻ｔ３において番組Ｐ２として「人気映画の案内」を放映しているとすると、システムコントローラ２１は図３中の（ｂ）に示すように次の番組Ｐ３として視聴者からのリクエスト番組「スポーツの試合速報」を放映するように表示順序を変更する。このとき、システムコントローラ２１は、番組Ｐ３，Ｐ４等として本来予定していた番組「天気予報」，「コマーシャル」等を視聴者のリクエスト番組の終了後にシフトして放送するように番組表を再構成する。
【００３２】
このように、表示装置１では、視聴者が番組編成に参加して所望の情報を表示画面１１に表示させることができるので、表示装置１の利用頻度が向上する。また、運行管理部２０が（具体的にはシステムコントローラ２１が）リクエストに応じて番組の放映順序を変更するので、利用者の要望にタイムリーに応えることができる。このため、表示装置１への関心をより高めて、表示装置１の利用効果を更に高めることができる。
【００３３】
多数の視聴者から複数の番組へリクエストがあった場合、システムコントローラ２１は受信したリクエストを集計し、例えばリクエスト数の多い番組を優先的に放映する。これにより、表示装置１ではより多くの利用者の要望に応えることができる。
【００３４】
この際、システムコントローラ２１は、リクエストのためのアクセスに対して、どの番組に何人がリクエストしているのか等のリクエストの集計情報等を、換言すれば表示装置１の利用状況や人気番組の情報等を各視聴者へ返信する。これにより、所望の番組が直ちに表示されない場合であっても、視聴者は自身のリクエストがどのように反映されているか、又、リクエストした番組がいつ頃放映されるか等を知ることができる。その結果、視聴者の表示装置１に対する関心が、従って表示装置１の利用効果が高まる。
【００３５】
更に、運行管理部２０から送信されたメニューには、視聴者が作成したメッセージ等の表示内容を表示するためのコーナーを含んでいる。このコーナーから送信された視聴者のメッセージを表示内容として運行管理部２０が携帯電話３０を介して受信する。そして表示部１０を制御して、例えば後述の流し文字として表示する。なお、視聴者が作成したメッセージ等はかかるコーナーから以外に、例えば携帯電話１３０のメール機能を利用してメールとして携帯電話３０へ送信することも可能である。即ち、視聴者が携帯電話１３０から携帯電話３０（を介して運行管理部２０（より具体的にはシステムコントローラ２１））へメッセージ等の所定の表示内容を送信すると、（これを受信した携帯電話３０を介して）運行管理部２０は表示部１０を制御して上記所定の表示内容を表示画面１１上に表示する。
【００３６】
このように視聴者が作成したメッセージ等を表示装置１において表示することによっても、表示装置１に関心を持つ人が増え、表示装置の利用効果を高めることができる。
【００３７】
表示装置１は表示コントローラ１２での処理により表示画面１１を空間的に分割して複数の番組を並行して表示することが可能である。このため、表示画面１１の一部において視聴者が求める情報（ないしは表示内容）を通常の番組放映とは独立して又並行して表示することができる。例えば、画面を２分割して所定の番組と視聴者のリクエストを並行して表示する。或いは、視聴者のリクエストを小画面ないしはサブ画面に縮小して表示する。
【００３８】
例えば、視聴者のリクエストがスポーツの経過又は結果の速報やニュース等の文字情報で対応可能な場合、図４に示すように、メイン画面１２Ｍに予定の番組を放映しつつ、サブ画面１１Ｓに流し文字でその文字情報を表示する。
【００３９】
ここで、図５に表示装置１において文字情報を並行して放映する場合の番組表の一例を示す。この場合、図５中の（ａ）に示すメイン画面１０Ｍの番組表とは別に、図５中の（ｂ）に示すように、流し文字等の文字や記号から成る画像専用の番組表を作成する。例えば、図５中の（ｂ）に示す一例によれば、時刻Ｔ１〜時刻Ｔ２の間、番組Ｑ１として文字番組名「スポーツ速報」に関する流し文字画像（ないしは表示内容）Ｈ１を放映し、時刻Ｔ３〜時刻Ｔ４の間、文字番組Ｑｍとして番組名「イベント情報」に関する流し文字画像Ｈｍを放映するように、番組表がプログラムされている。なお、各番組Ｑ１〜Ｑｍは、番組Ｐ１〜Ｐｎと同様に識別情報によって識別される。
【００４０】
運行管理部２０は図５に示すような番組表に従って、ビデオシステム２８及びコンピュータシステム２９を制御して番組を自動的に運行し（放映し）、又、その運行を管理する。これにより、例えば図４に示すように、スポーツ中継を放映しつつ、流し文字で天気予報を放映する。なお、メイン画面１１Ｍ及びサブ画面１１Ｓでの番組及び放映時刻等は視聴者のリクエストに応じてシステムコントローラ２１が変更する。
【００４１】
従って、表示装置１によれば、例えば現在、表示中の番組を中断することなく、或いは予定の番組運行を妨げることなく、視聴者が求める情報ないしは表示内容を表示することができる。
【００４２】
なお、表示装置１の運行時間を分割して、予め決められた時間帯に視聴者が要望する表示内容を表示するように、番組表を作成することも可能である。このとき、例えば、視聴者が求める情報を表示画面１１の全体に表示したり、或いは表示画面１１を分割して複数の視聴者のリクエストを同時に表示する。このような運行によれば、上述の番組の放映順序を変更する場合と比較して、運行管理部２０による番組の運行管理が軽減される。
【００４３】
ところで、表示装置１は視聴者ないしは利用者のうちで予め登録した者に対する処理を優先的に行う。或いは表示装置１へのアクセスを登録者に限定する。具体的には、運行管理部２０は（より具体的にはシステムコントローラ２１は）、アクセスした視聴者が登録者であるか否かを判定し、リクエストや自作のメッセージの受付等の処理を登録者優先で或いは登録者限定で行う。
【００４４】
例えば登録者が企業の場合、人通りや対象とする客層（女性層，若者層等）の多いタイミングを狙って、その企業の広告を番組名「コマーシャル」や自らが作成したメッセージ等として優先的に表示することができる。これにより、タイムリーに広告を表示させることができる。
【００４５】
このとき、利用者が予め登録されているので、表示装置１の利用状況に応じて、例えば表示する時間帯や情報量に応じて課金することが容易である。例えば、視聴者が多い時間帯ほど又情報量が多いほど高く課金する。なお、画像の場合には表示時間で以て又文字情報の場合には文字数等で以て情報量の目安とすればよい。かかる課金の管理は運行管理部２０が（より具体的にはシステムコンピュータ２１が）行う。このように、利用状況に応じた料金を課することにより、企業等の利用者が表示装置１を利用しやすい。また、登録者に対して課金するので、表示装置１の管理者としては料金の請求・集金を行いやすい。
【００４６】
また、この種の表示装置１は公共性が高いので、登録者が行政機関の場合には災害時に災害情報を表示できる等、表示装置１を有効に活用することができる。例えば、緊急時には、本来の番組を中断して強制的に臨時情報を表示することが可能である。また、選挙速報等の地域に必要な情報の提供にも役立つ。このとき、例えば、災害情報等の緊急性の高い情報は、インターネット等の情報通信の回線やテレビ，ラジオ等の放送とは別のルートで、表示装置１に緊急情報を表示することができる。しかも多数の表示装置１に緊急情報を一斉に表示することも可能である。これにより、多様な情報伝達手段が実現され、従来の通信回線や放送手段がダメージを受けても携帯電話３０の回線を通じて情報伝達をカバーできる等の効果を実現できる。なお、このような緊急時等の場合のように利用者は表示画面１１を見られる場所に居なくても表示内容を操作することができる。
【００４７】
このように、表示画面１１が公衆向けに設置されることにより、例えば広告や緊急時の情報等の伝達に高い利用効果が発揮される。なお、表示画面１１の設置場所やサイズは公衆向けに限られず、例えば一般家庭における個人向けに設置しても構わない。
【００４８】
なお、表示装置１において携帯電話３０に変えていわゆる固定電話等の他の電話回線接続インタフェースを用いても構わないし、又、視聴者は携帯電話１３０に変えて表示装置１の携帯電話３１と通信可能な各種の情報端末を利用することができる。
【００４９】
また、運行管理部２０は通信ネットワーク１５０に接続されているので、表示装置１では、利用者はこの通信ネットワーク１５０に接続可能な携帯電話３０から当該通信ネットワーク１５０を介して運行管理部２０へアクセスすることが可能である。そして、通信ネットワーク１５０を介したアクセスに対しても、運行管理部２０は携帯電話３０を介した場合と同様に応答する。即ち、運行管理部２０は、上述の番組のリクエストや自作のメッセージ等を通信ネットワーク１５０を介して視聴者から受け取り、表示部１０を制御してリクエストされた番組等を表示画面１１上に表示する。かかる場合によっても携帯電話３０を経由した場合と同様の効果が得られる。
【００５０】
【発明の効果】
この発明に係る表示装置によれば、利用者は、所定の情報として例えば表示内容のリストや、表示装置の利用に関する情報等を取得することができる。このため、表示装置に関心を持つ人が増え、表示装置の利用効果（例えば広告効果）を高めることができる。また、利用者が表示内容の編成に参加することができるので、表示装置の利用頻度が向上する。また、運行管理部はリクエストに応じて表示内容の表示順序を変更するので、利用者の要望にタイムリーに応えることができる。このため、表示装置への関心をより高めて、表示装置の利用効果を更に高めることができる。さらに、より多くの利用者の要望に応えることができる。
【図面の簡単な説明】
【図１】  実施の形態１に係る表示装置を説明するための模式図である。
【図２】  実施の形態１に係る表示装置で用いる番組表の一例を説明するための模式図である。
【図３】  実施の形態１に係る表示装置における視聴者の要望に応じた番組編成の変更を説明するための模式図である。
【図４】  実施の形態１に係る表示装置での流し文字を用いた表示の一例を説明するための模式図である。
【図５】  実施の形態１に係る表示装置において文字情報を並行して表示する場合の番組表の一例を説明するための模式図である。
【図６】  従来の表示装置を説明するための模式図である。
【符号の説明】
１  表示装置、１０  表示部、１１  表示画面、１１Ｍ  メイン画面、１２Ｓサブ画面、１２  表示コントローラ、２０  運行管理部、２１  システムコントローラ、３０  携帯電話（電話回線接続インタフェース）、１３０  携帯電話（情報端末）、１５０  通信ネットワーク、Ｇ１〜Ｇｎ  画像（表示内容）、Ｈ１〜Ｈｍ  流し文字画像（表示内容）。
【図１】
0003985457.tif 000002
【図２】
0003985457.tif 000003
【図３】
0003985457.tif 000004
【図４】
0003985457.tif 000005
【図５】
0003985457.tif 000006
【図６】
0003985457.tif 000007